(57)【要約】【課題】熱電モジュールを用いた冷凍冷蔵庫を、構成が簡単で、組み立て工数を削減でき、安価に提供できるようにすることを目的とする。【解決手段】冷蔵室用冷却器２３と冷蔵室用冷却器２３で冷却された冷気を室内で循環させる送風ファン１０とを有する冷蔵室６と、冷蔵室６から独立した室で少なくとも底面に室内を直接冷却する冷凍室用冷却器２４を有する冷凍室７と、吸熱面と放熱面とを有し所定方向の電流を流すことにより吸熱面が冷却され放熱面が加熱する熱電モジュール２０とを備え、冷蔵室用冷却器２３および冷凍室用冷却器２４は、直接もしくは間接的に、熱電モジュール２０の吸熱面と熱伝導可能に接続されている。【選択図】  図２
2004278890.tif 000002
【特許請求の範囲】
【請求項１】
冷蔵室用冷却器と前記冷蔵室用冷却器で冷却された冷気を室内で循環させる送風ファンとを有する冷蔵室と、前記冷蔵室から独立した室で少なくとも底面に室内を直接冷却する冷凍室用冷却器を有する冷凍室と、吸熱面と放熱面とを有し所定方向の電流を流すことにより前記吸熱面が冷却され放熱面が加熱する熱電モジュールとを備え、
前記冷蔵室用冷却器および前記冷凍室用冷却器は、直接もしくは間接的に、前記熱電モジュールの前記吸熱面と熱伝導可能に接続されていることを特徴とする冷凍冷蔵庫。
【請求項２】
冷蔵室用冷却器と冷凍室用冷却器は、互いに熱伝導可能に一体化されていることを特徴とする請求項１記載の冷凍冷蔵庫。
【請求項３】
冷蔵室用冷却器と冷凍室用冷却器と熱電モジュールは、一体にユニット化されていることを特徴とする請求項１または２に記載の冷凍冷蔵庫。
【請求項４】
熱電モジュールは、冷蔵室用冷却器における冷凍室用冷却器寄りに設けられていることを特徴とする請求項１から３のいずれか一項に記載の冷凍冷蔵庫。
【請求項５】
冷蔵室用冷却器は、少なくとも熱電モジュールからの吸熱を熱伝導するベース部と前記ベース部の吸熱を冷蔵室内に効率よく拡散するためのフィン部を有し、冷凍室用冷却器は、少なくとも熱電モジュールからの吸熱を熱伝導するベース部を有し、前記冷蔵室用冷却器のベース部の厚さ及び前記冷凍室冷却器のベース部の厚さは、前記冷蔵室用冷却器のベース部と冷凍室用冷却器のベース部の接続部で最も厚く、前記接続部より離れるに従い薄くなることを特徴とする請求項１から４のいずれか一項に記載の冷凍冷蔵庫。
【請求項６】
冷凍室用冷却器は、冷凍室を直接冷却する冷却面と冷蔵室用冷却器との接続面を除き断熱材で覆われていることを特徴とする請求項１から５のいずれか一項に記載の冷凍冷蔵庫。
【請求項７】
送風ファンは、冷蔵室用冷却器に固定されていることを特徴とする請求項１から６のいずれか一項に記載の冷凍冷蔵庫。
【請求項８】
冷蔵室内の温度を検知する冷蔵室温度検知手段と、冷凍室用冷却器の温度もしくは冷凍室内の温度を検知する冷凍室温度検知手段と、前記冷蔵室温度検知手段により検知した前記冷蔵室内の温度と冷蔵室設定温度との比較結果と前記冷凍室温度検知手段により検知した前記冷凍室内の温度と冷凍室設定温度との比較結果とに基づいて送風ファンの回転数と熱電モジュールに流す電流の大きさを制御する温度制御手段とを備え、
前記温度制御手段は、前記冷蔵室内の温度が前記冷蔵室設定温度より高く、かつ、前記冷凍室内の温度が前記冷凍室設定温度より高い場合に、前記送風ファンの回転数を高くすると共に前記熱電モジュールに流す電流を大きくし、前記冷蔵室内の温度が前記冷蔵室設定温度より低く、かつ、前記冷凍室内の温度が前記冷凍室設定温度より低い場合に、前記送風ファンの回転数を低くすると共に前記熱電モジュールに流す電流を小さくし、前記冷蔵室内の温度が前記冷蔵室設定温度より高く、かつ、前記冷凍室内の温度が前記冷凍室設定温度より低い場合に、前記送風ファンの回転数を高くすると共に前記熱電モジュールに流す電流を小さくし、前記冷蔵室内の温度が前記冷蔵室設定温度より低く、かつ、前記冷凍室内の温度が前記冷凍室設定温度より高い場合に、前記送風ファンの回転数を低くすると共に前記熱電モジュールに流す電流を大きくすることを特徴とする請求項１から７のいずれか一項に記載の冷凍冷蔵庫。
【請求項９】
冷蔵室内の温度を検知する冷蔵室温度検知手段と、冷凍室用冷却器の温度もしくは冷凍室内の温度を検知する冷凍室温度検知手段と、前記冷蔵室内の温度が冷蔵室設定温度となり前記冷凍室内の温度が冷凍室設定温度となるように送風ファンの回転数と熱電モジュールに流す電流の大きさを制御する温度制御手段とを備え、
前記温度制御手段は、前記冷蔵室温度検知手段により検知した前記冷蔵室内の温度と前記冷蔵室設定温度との比較結果と前記冷凍室温度検知手段により検知した前記冷凍室内の温度と前記冷凍室設定温度との比較結果とに基づいて、前記熱電モジュールによる吸熱量を大きくする必要があると判断した場合には、前記熱電モジュールに流す電流を人きくし、逆に、前記熱電モジュールによる吸熱量を小さくする必要があると判断した場合には、前記熱電モジュールに流す電流を小さくし、前記冷蔵室よりも前記冷凍室を優先して冷却する必要があると判断した場合には、前記送風ファンの回転数を低くし、逆に、前記冷凍室よりも前記冷蔵室を優先して冷却する必要があると判断した場合には、送風ファンの回転数を高くすることを特徴とする請求項１から７のいずれか一項に記載の冷凍冷蔵庫。
【発明の詳細な説明】
【０００１】
【発明の属する技術分野】
本発明は、ペルチェ効果を応用した熱電モジュールを使って庫内を冷却する冷凍冷蔵庫に関するものである。
【０００２】
【従来の技術】
近年、フロンガスの大気放出によるオゾン層破壊や温暖化が地球的な問題となり、フロンガスを使用しない冷凍冷蔵庫の開発が急がれている。そしてフロンガスを使用しない方式の一つとして、熱電モジュールを使用した冷凍冷蔵機器が注目されている。
【０００３】
従来の熱電モジュールを使用した冷凍冷蔵機器としては、特許文献１に開示されたものがある。
【０００４】
以下、図面を参照しながら上記従来の冷凍冷蔵機器を説明する。図１２は、従来の冷凍冷蔵機器の断面図を示している。
【０００５】
図１２に示すように、冷蔵室１０１は、断熱材料からなる外壁１０２と冷却器として用いられるアルミニウム製の内壁１０３から構成されている。第１熱電モジュール１０４は、吸熱面が内壁１０３と接しており、内壁１０３を介して冷蔵室１０１を冷却している。放熱器１０５は、第１熱電モジュール１０４の放熱面からの熱を雰囲気空気に放出している。つまり、第１熱電モジュール１０４と内壁１０３と放熱器１０５により第１の冷却ユニットを形成している。冷蔵室冷却用送風ファン１０６は、冷蔵室１０１内の空気を強制循環させ、冷却効果を高めている。
【０００６】
冷凍室１０７は、冷蔵室１０１と同様に断熱材料からなる外壁１０２と冷却器として用いられるアルミニウム製の内壁１０８から構成されている。第２熱電モジュール１０９は、吸熱面が内壁１０８と接しており、内壁１０８を介して冷凍室１０７を冷却している。放熱器１１０は、冷蔵室１０１内に納められており、第２熱電モジュール１０９の放熱面からの熱を冷蔵室１０１内の空気に放出している。つまり、第２熱電モジュール１０９と内壁１０８と放熱器１１０により第２の冷却ユニットを形成している。
【０００７】
以上のように構成された従来の冷凍冷蔵機器について、以下その動作を説明する。
【０００８】
第１熱電モジュール１０４と第２熱電モジュール１０９に通電すると、冷蔵室１０１内の送風ファン１０６により循環している空気や被冷却物は内壁１０３を介して第１熱電モジュール１０４に吸熱され、冷蔵室１０１内が冷却される。
【０００９】
このとき、第１熱電モジュール１０４に吸熱された熱量と通電により発生する熱量は、放熱面から放熱器１０５を介して雰囲気空気に放出される。
【００１０】
また、第２熱電モジュール１０９でも第１熱電モジュール１０４と同様に冷凍室１０７内の空気や被冷却物は内壁１０８を介して第２熱電モジュール１０９に吸熱され、冷凍室１０７内が冷却される。
【００１１】
このとき、第２熱電モジュール１０９に吸熱された熱量と通電により発生する熱量は、放熱面から放熱器１１０を介して冷蔵室１０１内の空気に放出される。
【００１２】
この際、雰囲気温度と比較して、大幅に温度が低い冷蔵室１０１内の空気で第２熱電モジュール１０９の放熱を行うため、第２熱電モジュール１０９の吸熱面の温度が下がり、冷凍が行える。
【００１３】
【特許文献１】
特開平７−３３２８２９号公報
【００１４】
【発明が解決しようとする課題】
しかしながら、上記従来の構成では、第２熱電モジュール１０９から発生する熱量は冷蔵室１０１内の空気を介して熱交換が行われるため、放熱側の熱交換効率が悪く、第２熱電モジュール１０９の吸熱面温度の下がりが悪く、冷却スピードが低下するという欠点があった。
【００１５】
また、冷蔵室１０１の冷却ユニットと冷凍室１０９の冷却ユニットの構成が分離しているため、組立工数が大きくなり、安価に冷凍冷蔵庫を提供できないという欠点があった。
【００１６】
本発明は、熱電モジュールを用いた冷凍冷蔵庫を、構成が簡単で、組み立て工数を削減でき、安価に提供できるようにすることを目的とする。
【００１７】
【課題を解決するための手段】
発明の請求項１に記載の冷凍冷蔵庫の発明は、冷蔵室用冷却器と前記冷蔵室用冷却器で冷却された冷気を室内で循環させる送風ファンとを有する冷蔵室と、前記冷蔵室から独立した室で少なくとも底面に室内を直接冷却する冷凍室用冷却器を有する冷凍室と、吸熱面と放熱面とを有し所定方向の電流を流すことにより前記吸熱面が冷却され放熱面が加熱する熱電モジュールとを備え、前記冷蔵室用冷却器および前記冷凍室用冷却器を、直接もしくは間接的に、前記熱電モジュールの前記吸熱面と熱伝導可能に接続したものである。
【００１８】
上記構成において、熱電モジュールに通電すると、熱電モジュールの吸熱面に設けられた冷蔵室用冷却器が吸熱され、冷蔵室用冷却器に熱伝導可能に接続された冷凍室用冷却器も吸熱される。その際、冷蔵室は、冷蔵室用冷却器と冷蔵室に設けられた送風ファンにより、間接的に安定した温度に冷却され、冷凍室は、底面が直接吸熱面である冷凍室用冷却器により製氷等が可能な直接冷却作用で冷凍温度まで冷却される。
【００１９】
本発明の冷凍冷蔵庫では、一つの熱電モジュールを用い、冷凍および冷蔵を可能としたものであり、冷蔵室を冷却する冷蔵室用冷却器と冷凍室を冷却する冷凍室用冷却器が熱伝導可能に接続されている為、冷却器を一体化、ユニット化できるので、冷凍冷蔵庫への組み込みが容易になるという作用を有する。
【００２０】
請求項２に記載の冷凍冷蔵庫の発明は、請求項１に記載の発明における冷蔵室用冷却器と冷凍室用冷却器とを、互いに熱伝導可能に一体化したものであり、冷蔵室用冷却器と冷凍室用冷却器が一体構造のため、各冷却器間の熱抵抗が小さくでき効率のよい熱搬送が可能となり、冷凍冷蔵庫として冷却性能の向上および消費電力の向上が図れると共に冷蔵室用冷却器と冷凍室用冷却器の組立工数を削減できるという作用を有する。
【００２１】
請求項３に記載の冷凍冷蔵庫の発明は、請求項１または２に記載の発明における冷蔵室用冷却器と冷凍室用冷却器と熱電モジュールが、一体にユニット化されたものであり、それにより冷凍冷蔵庫への組み込みが容易になり、組み込み工数、サービスエ数が向上するという作用を有する。
【００２２】
請求項４に記載の冷凍冷蔵庫の発明は、請求項１から３に記載の発明における熱電モジュールが、冷蔵室用冷却器における冷凍室用冷却器寄りに設けられたものであり、冷蔵室に対しさらに低温が要求される冷凍室を冷却する冷凍室用冷却器に短時間で効率よく熱電モジュールの熱搬送が図れるため、冷凍冷蔵庫として消費電力の向上が図れるという作用を有する。
【００２３】
請求項５に記載の冷凍冷蔵庫の発明は、請求項１から４に記載の発明における冷蔵室用冷却器は、少なくとも熱電モジュールからの吸熱を熱伝導するベース部と前記ベース部の吸熱を冷蔵室内に効率よく拡散するためのフィン部を有し、冷凍室用冷却器は、少なくとも熱電モジュールからの吸熱を熱伝導するベース部を有し、前記冷蔵室用冷却器のベース部の厚さ及び前記冷凍室冷却器のベース部の厚さは、前記冷蔵室用冷却器のベース部と冷凍室用冷却器のベース部の接続部で最も厚く、前記接続部より離れるに従い薄くなるものであり、それにより熱電モジュールからの吸熱を冷蔵室冷却器と冷凍室冷却器に均一に熱搬送できるため冷凍冷蔵庫として消費電力の向上が図れるとともに冷蔵室冷却器と冷凍室冷却器の最適形状設計による材料費の削減ができるという作用を有する。
【００２４】
請求項６に記載の冷凍冷蔵庫の発明は、請求項１から５に記載の発明における冷凍室用冷却器は、冷凍室を直接冷却する冷却面と冷蔵室用冷却器との接続面を除き断熱材で覆われているものであり、それにより冷凍室冷却器の熱電モジュールからの吸熱を、冷凍室にのみ使用するため、冷凍室の冷却が効率よく行われ、冷凍冷蔵庫として消費電力の向上が図れるという作用を有する。
【００２５】
請求項７に記載の冷凍冷蔵庫の発明は、請求項１から６のいずれか一項に記載の発明における送風ファンを、冷蔵室用冷却器に固定したものであり、送風ファンを冷蔵室用冷却器に固定することにより、冷蔵室用冷却器の最も温度の低い箇所に直接送風することが可能になり、冷蔵室用冷却器の熱交換性能が向上するという作用を有する。さらに送風ファンと冷蔵室用冷却器と冷凍室用冷却器と熱電モジュールとを一体化、ユニット化できるので、冷凍冷蔵庫への組み込みがより容易になり、組み込み工数、サービスエ数がより向上するという作用を有する。
【００２６】
請求項８に記載の冷凍冷蔵庫の発明は、請求項１から７のいずれか一項に記載の発明に、さらに、冷蔵室内の温度を検知する冷蔵室温度検知手段と、冷凍室用冷却器の温度もしくは冷凍杢内の温度を検知する冷凍宝温度検知手段と、前記冷蔵室温度検知手段により検知した前記冷蔵室内の温度と冷蔵室設定温度との比較結果と前記冷凍室温度倹知手段により検知した前記冷凍室内の温度と冷凍室設定温度との比較結果とに基づいて以下のように送風ファンの回転数と熱電モジュールに流す電流の大きさを制御する温度制御手段とを備えたものである。
【００２７】
すなわち、前記温度制御手段は、前記冷蔵室内の温度が前記冷蔵室設定温度より高く、かつ、前記冷凍室内の温度が前記冷凍室設定温度より高い場合に、前記送風ファンの回転数を高くすると共に前記熱電モジュールに流す電流を大きくし、前記冷蔵室内の温度が前記冷蔵室設定温度より低く、かつ、前記冷凍室内の温度が前記冷凍室設定温度より低い場合に、前記送風ファンの回転数を低くすると共に前記熱電モジュールに流す電流を小さくし、前記冷蔵室内の温度が前記冷蔵室設定温度より高く、かつ、前記冷凍室内の温度が前記冷凍室設定温度より低い場合に、前記送風ファンの回転数を高くすると共に前記熱電モジュールに流す電流を小さくし、前記冷蔵室内の温度が前記冷蔵室設定温度より低く、かつ、前記冷凍室内の温度が前記冷凍室設定温度より高い場合に、前記送風ファンの回転数を低くすると共に前記熱電モジュールに流す電流を大きくすることを特徴とする冷凍冷蔵庫であり、冷蔵室内の温度を検知する冷蔵室温度検知手段と、冷凍室用冷却器の温度もしくは冷凍室内の温度を検知する冷凍室温度検知手段と、前記冷蔵室温度検知手段により検知した前記冷蔵室内の温度と冷蔵室設定温度との比較結果と前記冷凍室温度検知手段により検知した前記冷凍室内の温度と冷凍室設定温度との比較結果とに基づいて送風ファンの回転数と熱電モジュールに流す電流の大きさを制御するものであり、冷蔵室温度と冷凍室温度をそれぞれの庫内の温度上昇や過冷却を防止し、比較的安価な温度制御手段で、不必要な電力消費を無くすことで、冷蔵室および冷凍室を安定温度で、効率よく冷却することができるという作用を有する。
【００２８】
請求項９に記載の冷凍冷蔵庫の発明は、請求項１から７のいずれか一項に記載の発明に、さらに、冷蔵室内の温度を検知する冷蔵室温度検知手段と、冷凍室用冷却器の温度もしくは冷凍室内の温度を検知する冷凍室温度検知手段と、前記冷蔵室内の温度が冷蔵室設定温度となり前記冷凍室内の温度が冷凍室設定温度となるように以下のように送風ファンの回転数と熱電モジュールに流す電流の大きさを制御する温度制御手段とを備えたものである。
【００２９】
すなわち、前記冷蔵室温度検冗手段により倹知した前記冷蔵室内の温度と前記冷蔵室設定温度との比較結果と前記冷凍室温度検知手段により検知した前記冷凍室内の温度と前記冷凍室設定温度との比較結果とに基づいて、前記熱電モジュールによる吸熱量を大きくする必要があると判断した場合には、前記熱電モジュールに流す電流を大きくし、逆に、前記熱電モジュールによる吸熱量を小さくする必要があると判断した場合には、前記熱電モジュールに流す電流を小さくし、前記冷蔵室よりも前記冷凍室を優先して冷却する必要があると判断した場合には、前記送風ファンの回転数を低くし、逆に、前記冷凍室よりも前記冷蔵室を優先して冷却する必要があると判断した場合には、送風ファンの回転数を高くする。
【００３０】
本発明の冷凍冷蔵庫では、熱電モジュールに流れる電流を大きくすると、熱電モジュールの吸熱量（冷却能力）が大きくなり、熱電モジュールに流れる電流を小さくすると、熱電モジュールの吸熱量（冷却能力）が小さくなる。
【００３１】
また、送風ファンの回転数を高くすると、冷蔵室用冷却器と熱交換する冷蔵室内の空気の量が増えて、熱電モジュールの冷却能力が冷蔵室の冷却に使われる割合が増え冷凍室の冷却に使われる割合が減る。逆に、送風ファンの回転数を低くすると、冷蔵室用冷却器と熱交換する冷蔵室内の空気の量が減って、熱電モジュールの冷却能力が冷蔵室の冷却に使われる割合が減って冷凍室の冷却に使われる割合が増える。
【００３２】
したがって、冷蔵室温度検知手段により検知した冷蔵室内の温度と冷蔵室設定温度との比較結果と冷凍室温度検知手段により検知した冷凍室内の温度と冷凍室設定温度との比較結果とに基づいて、熱電モジュールによる吸熱量を大きくする必要があると判断した場合に、熱電モジュールに流す電流を大きくし、逆に、熱電モジュールによる吸熱量を小さくする必要があると判断した場合に、熱電モジュールに流す電流を小さくし、冷蔵室よりも冷凍室を優先して冷却する必要があると判断した場合に、送風ファンの回転数を低くし、逆に、冷凍室よりも冷蔵室を優先して冷却する必要があると判断した場合に、送風ファンの回転数を高くすることにより、冷蔵室と冷凍室とをそれぞれの設定温度の範囲で、繊密な温度制御が可能となりさらに効率よく冷却することができるという作用を有する。
【００３３】
【発明の実施の形態】
以下さらに本発明の冷凍冷蔵庫の実施の形態について説明する。
【００３４】
（実施の形態１）
図１は、本発明の実施の形態の冷凍冷蔵庫の斜視図である。図２は、同実施の形態の冷凍冷蔵庫の縦断面図である。図３は、同実施の形態の冷凍冷蔵庫の冷却を司る熱電モジュールを内臓した熱電装置の縦断面図である。
【００３５】
図１、図２において、冷凍冷蔵庫１は、前面に開口部を設けた箱体からなる本体部２と本体部２の開口部を開閉する扉３を有し、これらはいずれも内部にウレタン樹脂や真空断熱材等の断熱材料からなる外壁４，５で構成されている。
【００３６】
また、冷凍冷蔵庫１は、冷蔵室６と冷凍室７に、たとえばプラスチックや断熱材料等の熱伝導率が小さいものからなる隔壁８により独立している。そして、冷蔵室６の背面側の外壁４を貫通して冷凍冷蔵庫１の冷却を司る冷却装置９が取り付けられている。
【００３７】
また、庫内ファン１０は、冷蔵室６内に配設され、冷蔵室６内の空気を循環させるものであり、たとえば熱電装置９の冷蔵室用冷却器２３に固定されており、庫外ファン１１は、庫外室１２の下部に配設され外気の空気を庫外室１２に取り入れ熱電装置９の放熱器２６の熱交換を行うものである。
【００３８】
電源制御装置１４は、庫外室１２の上部に位置に、熱電モジュール２０および庫内ファン１０、庫外ファン１１等に電力を供給する電源と、庫内の冷蔵室６および冷凍室７の温度を検知して熱電モジュール２０への通電制御や庫内ファン１０への回転数制御を行う温度制御手段からなる。
【００３９】
図３における熱電装置９についてその構造を説明する。熱電モジュール２０は、吸熱面２１と放熱面２２を有し所定方向に電流を流すことにより吸熱面２１が冷却され、放熱面２２が加熱されるものである。
【００４０】
冷蔵室６を冷却する冷蔵室冷却器２３は、熱電モジュール２０からの冷温を熱伝導するベース部２３ａとベース部２３ａの表面に設けられたフィン部２３ｂからなり、ベース部２３ａは冷凍室７を冷却する冷凍室冷却器２４のベース部２４ａと熱伝導可能に接続されている。
【００４１】
また、冷蔵室冷却器２３は、熱電モジュール２０の吸熱面２１と接し熱電モジュール２０の冷温を熱伝導する熱伝導部材２５とも接続されている。放熱器２６は、熱電モジュール２０の放熱面２２に熱伝導可能に接続されている。
【００４２】
また、プラスチック等の熱伝導率の小さい材料からなる箱体２７は、内部に熱電モジュール２０と熱伝導部材２５を配設し、端部に冷蔵室冷却器２３と他の端部に放熱器２６を配設させ、熱電装置９を一体構造としている。
【００４３】
このように、同実施の形態の冷凍冷蔵庫の冷却を司る熱電装置９は、熱電モジュール２０に熱伝導可能に接続された冷蔵室冷却器２３と冷凍室冷却器２４と熱伝導部材２５と放熱器２６と箱体２７と冷蔵室冷却器２３に固定された庫内ファン１０により一体にユニット化された構造となっている。
【００４４】
以下、図面を参照しながら同実施の形態の冷凍冷蔵庫についてその動作を説明する。
【００４５】
電源制御装置１４から熱電モジュール２０に所定の方向に通電されると、熱電モジュール２０の吸熱面２１は冷却され、放熱面２２は加熱される。そして吸熱面２１の冷温は、熱伝導部材２５を介して熱伝導され、冷蔵室６内の冷蔵室冷却器２３のベース部２３ａ及びフィン部２３ｂが冷却される。
【００４６】
そして冷蔵室冷却器２３に固定された庫内ファン１０により、冷蔵室８内の空気を冷却し、冷蔵室８内を冷蔵雰囲気にする。同時に冷蔵室冷却器２３のベース部２３ａと熱伝導可能に接続されたベース部２４ａを有する冷凍室冷却器２４は冷却される。
【００４７】
冷凍室９内は、冷凍冷蔵庫１の設置状態に対して底面に室内を直接冷却する冷凍冷却器２４のベース部２４ａが、水平に配置され、ベース部２４ａの上部に置かれた製氷皿２８等が製氷されると同時に、冷凍雰囲気になる。
【００４８】
一方、放熱面２２の温熱は、直接的に放熱器２６に伝わり、庫外ファン１１により外部に放出される。
【００４９】
このように本実施の形態の冷凍冷蔵庫１では、一つの熱電モジュールを用いて冷凍と冷蔵を一つの冷却ユニットで可能にしたものであり、所定方向に電流を流すと吸熱面２１が冷却され放熱面２２が加熱する熱電モジュール２０と吸熱面２１に熱伝導部材２５を介して熱伝導可能に接続された冷蔵室冷却器２３と該冷蔵室冷却器２３に熱伝導可能に接続された冷凍室冷却器２４と、放熱面２２に熱伝導可能に接続された放熱器２６とそれらを一体固定する箱体２７と冷蔵室冷却器２３に固定された庫内ファン１０によりユニット化された熱電装置９を冷凍冷蔵庫１の背面の外壁４に挿入し設置するため、組込が容易である。
【００５０】
なお、本実施の形態では放熱器２６と熱電モジュール２０の放熱面２２を直接接触させて、放熱を行っているが、図４に示すように熱電モジュール２０の放熱面２２に熱交換部３０を設け、該熱交換部３０と液溜め用チャンバ３１と放熱器３２とを配管３３でつないで循環経路を構成し、水やプロピレングリコール水溶液等の熱伝達率が大きい液冷媒を循環させて間接的に熱電モジュール２０から放熱を行う方式でも良い。
【００５１】
また、図３における熱電装置９の構造として、冷蔵室用冷却器２３と冷凍室用冷却器２４が互いに熱伝導可能に例えば押し出し成型などで一体化されている。
【００５２】
これにより、冷蔵室用冷却器２３のベース部２３ａと冷凍室用冷却器２４のベース部２４ａ間の熱抵抗を小さくすることができるため、熱電モジュール２０の吸熱面２１からの冷温は、熱伝導部材２５を介して、冷蔵室冷却器２３のベース部２３ａと熱伝導可能に接続された冷凍室冷却器２４のベース部２４ａに効率のよい熱搬送行いことができ、冷凍冷蔵庫１として冷却性能の向上および消費電力の向上が図れるとともに冷蔵室用冷却器２３と冷凍室用冷却器２４の組立工数を削減できる。
【００５３】
また、図５における熱電装置９の構造として、冷蔵室用冷却器２３のベース部２３ａに熱伝導可能に接続される熱電モジュール２０の吸熱面２１に熱伝導可能に接続された熱伝導部材２５は、冷蔵室用冷却器２３のベース部２３ａと冷凍室用冷却器２４のベース部２４ａの接続部４０近傍に設けられたものである。
【００５４】
それにより熱電モジュール２０の吸熱面２１の冷温は、熱伝導部材２５から冷蔵室用冷却器２３のベース部２３ａを介して冷凍室用冷却器２４のベース部２４ａを短時間で冷却する。
【００５５】
このように、冷蔵室用冷却器２３に熱伝導される熱電モジュール２０の冷温が、冷凍室用冷却器２４の近傍に設けられることにより、冷蔵室に対しさらに低温が要求される冷凍室を冷却する冷凍室用冷却器２４に短時間で効率よく熱電モジュール２０の熱搬送が行われるため、冷凍冷蔵庫１として消費電力の向上が図れる。
【００５６】
また、図６における熱電装置９の構造として、冷蔵室用冷却器２３のベース部２３ａの厚さ及び冷凍室用冷却器２４のベース部２４ａの厚さは、冷蔵室用冷却器２３のベース部２３ａと冷凍室用冷却器２４のベース部２４ａの接続部４１で最も厚く、接続部４１より離れるに従い冷蔵室用冷却器２３のベース部２３ａの厚さ及び冷凍室用冷却器２４のベース部２４ａの厚さは薄くなるものである。
【００５７】
それにより熱電モジュール２０の吸熱面２１の冷温は、熱伝導部材２５を介して冷蔵室用冷却器２３のベース部２３ａとそれに熱伝導可能に接続された冷凍室用冷却器２４のベース部２４ａを冷却する。
【００５８】
その際、ベース部の厚さの大きい個所では、熱抵抗が小さいため、効率よく熱搬送が行われるため、冷蔵室用冷却器２３のベース部２３ａから冷凍室用冷却器２４のベース部２４ａへ効率よく冷却され、同時に冷蔵室用冷却器２３と冷凍室用冷却器２４は均温化が図られる。
【００５９】
このように、冷蔵室用冷却器２３のベース部２３ａの厚さ及び冷凍室冷却器２４のベース部２４ａの厚さは、冷蔵室用冷却器２３のベース部２３ａと冷凍室用冷却器２４のベース部２４ａの接続部４１で最も厚く、接続部４１より離れるに従い薄くすることにより、熱電モジュール２０からの吸熱を冷蔵室冷却器２３と冷凍室用冷却器２４に均一に効率よく熱搬送できるため、冷凍冷蔵庫１として消費電力の向上が図れるとともに冷蔵室用冷却器２３と冷凍室用冷却器の最適形状設計による材料費の削減ができる。
【００６０】
また、図７における熱電装置９の構造として、冷凍室用冷却器２４は、冷凍室７を直接冷却する冷却面４２と冷蔵室用冷却器２３との接続面４３を除き断熱材４４で覆われている。
【００６１】
それにより熱電モジュール２０の吸熱面２１の冷温は、熱伝導部材２５を介して冷蔵室用冷却器２３のベース部２３ａとそれに熱伝導可能に接続された冷凍室用冷却器２４のベース部２４ａを冷却する。
【００６２】
その際、冷凍室用冷却器２４のベース部２４ａの冷凍室７を直接冷却する冷却面４２は、断熱材４４により冷蔵室６への熱ロスがなく低温状態となる。
【００６３】
それにより冷凍室冷却器２４の熱電モジュール２０からの吸熱を、冷凍室７にのみ使用するため、冷凍室７の冷却が効率よく行われ、冷凍冷蔵庫１として消費電力の向上が図れる。
【００６４】
（実施の形態２）
図８は、本発明の実施の形態の冷凍冷載庫の制御袈置のブロック図であり、図９は、同実施の形態の冷凍冷蔵庫の制御装置の動作を説明するためのフローチャートである。
【００６５】
図８において、冷蔵センサー５０は冷凍冷蔵庫１の冷蔵室６内に設けられ、冷凍センサー５１は冷凍室７内の冷凍室冷却器２４に設けられている。冷蔵室温度検知手段５２は冷蔵センサー５０により冷蔵室温度を検出するものであり、冷凍室温度検知手段５３は冷蔵センサー５１により冷凍室温度を検出するものである。冷蔵室温度設定手段５４は、冷蔵室温度を所定の温度に設定するものであり、、冷凍室温度設定手段５５は、冷凍室温度を所定の温度に設定するものである。
【００６６】
温度制御手段６０は、冷蔵室温度検知手段５２と冷蔵室温度設定手段５４により設定された所定の温度との温度差および冷凍室温度検知手段５３と冷凍室温度設定手段５５により設定された所定の温度との温度差を演算する温度差演算手段５６と、温度差演算手段５６により演算された温度差に合わせて熱電モジュール２０への印加電圧を制御する熱電モジュール通電制御手段５７と、温度差演算手段５６により演算された温度差に合わせて印加電圧の増加により回転数が増加する庫内ファン１０への印加電圧を制御する庫内ファン回転数制御手段５８からなる。
【００６７】
以上のように構成された冷凍冷蔵庫の制御装置について、図８、図９を用いてその動作を説明する。
【００６８】
図９において、まず冷蔵室温度検知手段５２は冷蔵センサー５０により冷蔵室温度Ｔｐを検出し（Ｓｔｅｐ１）、温度差演算手段５６により冷蔵室温度Ｔｐと冷蔵室温度設定手段５４により設定された所定の温度Ｔｒｅｆとの温度差△Ｔ１（＝Ｔｐ−Ｔｒｅｆ）を演算する（Ｓｔｅｐ２）。
【００６９】
△Ｔ１が正つまり冷蔵室温度が冷蔵室設定温度よりも高い時、冷凍室温度検知手段５３は冷凍センサー５１により冷凍室温度Ｔｆを検出し（Ｓｔｅｐ３）、温度差演算手段５６により冷凍室温度Ｔｆと冷凍室温度設定手段５５により設定された所定の温度Ｔｉｃｅとの温度差△Ｔ２（＝Ｔｆ−Ｔｉｃｅ）を演算し（Ｓｔｅｐ４）、△Ｔ２が正つまり冷凍室温度が冷凍室設定温度よりも高い時は、熱電モジュール通電制御手段５７により熱電モジュール２０の印加電圧を大きく、庫内ファン回転数制御手段５８により庫内ファン１０の印加電圧を大きくする（Ｓｔｅｐ５）。
【００７０】
また、△Ｔ２が負つまり冷凍室温度が冷凍室設定温度よりも低い時は、熱電モジュール通電制御手段５７により熱電モジュール２０の印加電圧を小さく、庫内ファン回転数制御手段５８により庫内ファン１０の印加電圧を大きくする（Ｓｔｅｐ６）。
【００７１】
次に、△Ｔ１が負つまり冷蔵室温度が冷蔵室設定温度よりも低い時、冷凍室温度検知手段５３は冷凍センサー５１により冷凍室温度Ｔｆを検出し（Ｓｔｅｐ７）、温度差演算手段５６により冷凍室温度Ｔｆと冷凍室温度設定手段５５により設定された所定の温度Ｔｉｃｅとの温度差△Ｔ２（＝Ｔｆ−Ｔｉｃｅ）を演算し（Ｓｔｅｐ８）、△Ｔ２が正つまり冷凍室温度が冷凍室設定温度よりも高い時は、熱電モジュール通電制御手段５７により熱電モジュール２０の印加電圧を大きく、庫内ファン回転数制御手段５８により庫内ファン１０の印加電圧を小さくする（Ｓｔｅｐ９）。
【００７２】
また、△Ｔ２が負つまり冷凍室温度が冷凍室設定温度よりも低い時は、熱電モジュール通電制御手段５７により熱電モジュール２０の印加電圧を小さく、庫内ファン回転数制御手段５８により庫内ファン１０の印加電圧を小さくする（Ｓｔｅｐ１０）。
【００７３】
このような制御装置を備えた冷凍冷蔵庫は、冷蔵室温度と冷凍室温度をそれぞれの庫内の温度上昇や過冷却を防止し、比較的安価な温度制御手段で、不必要な電力消費を無くすことで、冷蔵室および冷凍室を安定温度で、効率よく冷却することができる。
【００７４】
尚、冷凍室の冷凍センサー５１は冷凍冷却器２４に設置したが、冷凍室内の他の場所に設定してもよい。
【００７５】
また、庫内ファン１０は、印加電圧の増加により回転数が増加する電圧制御型のものを使用したが、周波数により回転数が可変する周波数制御型のものを使用しても同様の効果が得られる。
【００７６】
また、熱電モジュール通電制御手段５７による熱電モジュールの印加電圧の可変および、庫内ファン回転数制御手段５８による庫内ファンの印加電圧の可変は、ＯＮ／ＯＦＦ制御または段階（たとえば強、中、弱のような）制御またはリニア制御による可変とするものであり、ＯＮ／ＯＦＦによる制御は、制御装置を安価とする効果があり、段階による制御は比較的制御装置を安価にできかつ熱電モジュール２０に与える熱ストレスの減少させる効果があり、リニアによる制御は、熱電モジュール２０に与える熱ストレスの減少を招き、高寿命、高効率（消費電力小）の制御装置を備えた冷凍冷蔵庫を提供できる。
【００７７】
（実施の形態３）
図１０は、本発明の実施の形態の冷凍冷蔵庫の制御装置のブロック図であり、図１１は、同実施の形態の冷凍冷蔵庫の制御装置の動作を説明するためのフローチャートである。
【００７８】
図１０において、冷蔵センサー７０は冷蔵庫本体の冷蔵室６内に設けられ、冷凍センサー７１は冷凍室７内の冷凍室冷却器２４に設けられている。冷蔵室温度検知手段７２は冷蔵センサー７０により冷蔵室温度を検出するものであり、冷凍室輩検知手段７３は冷蔵センサー７１により冷凍室温度を検出するものである。
【００７９】
冷蔵室温度設定手段７４は、冷蔵室温度を所定の温度に設定するものであり、冷凍室温度設定手段７５は、冷凍室温度を所定の温度に設定するものである。
【００８０】
温度制御手段８０は、冷蔵室温度検知手段７２と冷蔵室温度設定手段７４により設定された所定の温度との温度差および冷凍室温度検知手段７３と冷凍室温度設定手段７５により設定された所定の温度との温度差の演算及び冷蔵室６と冷凍室７の冷却負荷を演算する運転制御手段７６と、運転制御手段７６により演算された冷却負荷に合わせて熱電モジュール２０への印加電圧を制御する熱電モジュール通電制御手段７７と、運転制御手段７６により演算された冷却負荷に合わせて印加電圧の増加により回転数が増加する庫内ファン１０への印加電圧を制御する庫内ファン回転数制御手段７８からなる。
【００８１】
以上のように構成された冷凍冷蔵庫の制御装置について、図１０、図１１を用いてその動作を説明する。
【００８２】
図１１において、まず冷蔵室温度検知手段７２は冷蔵センサー７０により冷蔵室温度Ｔｐを検出し、冷凍室温度検知手段７３は冷凍センサー７１により冷凍室温度Ｔｆを検出する（Ｓｔｅｐ１）。次に運転制御手段７６により冷蔵室温度Ｔｐと冷蔵室温度設定手段７４により設定された所定の温度Ｔｒｅｆとの温度差△Ｔ１（＝Ｔ１ｐ−Ｔｒｅｆ）と冷凍室温曳Ｔｆと冷凍室温曳設定手段７５により設定された所定の温度Ｔｉｃｅとの温度差△Ｔ２（＝Ｔｆ−Ｔｉｃｅ）を演算し冷蔵室６の冷蔵冷却負荷Ｑｐと冷凍室７の冷凍冷却負荷Ｑｆを演算を行い（Ｓｔｅｐ２）、冷凍冷蔵庫として冷却能力を高める必要があるかどうかの判断を行う（Ｓｔｅｐ３）。
【００８３】
運転制御手段７６により冷却能力を高める必要があると判断した場合、熱電モジュール通電制御手段７７により、熱電モジュール２０の印加電圧を大きくし（Ｓｔｅｐ４）、逆に冷却能力を高める必要がないと判断した場合、熱電モジュール通電制御手段７７により、熱電モジュール２０の印加電圧を小さくする（Ｓｔｅｐ５）。
【００８４】
次に、運転制御手段７６により冷蔵室６の冷蔵冷却負荷Ｑｐと冷凍室７の冷凍冷却負荷Ｑｆの負荷量を比較し（Ｓｔｅｐ６）、冷蔵冷却負荷Ｑｐが冷凍冷却負荷Ｑｆよりも大きいとき（Ｑｐ＞Ｑｆ）は、庫内ファン回転数制御手段７８により庫内ファン印加電圧を大きくし（Ｓｔｅｐ７）、庫内ファン１０の回転数を上げ、冷蔵室６内の熱交換率を向上させることにより冷蔵室６を冷却させ、冷蔵冷却負荷Ｑｐが冷凍冷却負荷Ｑｆよりも小さいとき（Ｑｐ＜Ｑｆ）は、庫内ファン回転数制御手段７８により庫内ファン印加電圧を小さくし（Ｓｔｅｐ８）、庫内ファン１０の回転数を下げ、冷凍室６内の冷凍冷却器２４の温度を下げることにより冷凍室７を冷却させる。
【００８５】
尚図１１には記載していないが、冷蔵冷却負荷Ｑｐと冷凍冷却負荷Ｑｆが同等のとき（Ｑ＝Ｑｆ）は、庫内ファン回転数制御手段７８により庫内ファン印加電圧は変化なしとする。
【００８６】
このような制御装置を備えた冷凍冷蔵庫は、熱電モジュールに流れる電流を大きくすると、熱電モジュールの吸熱量（冷却能力）が大きくなり、熱電モジュールに流れる電流を小さくすると、熱電モジュールの吸熱量（冷却能力）が小さくなる。
【００８７】
また、送風ファンの回転数を高くすると、冷蔵室用冷却器と熱交換する冷蔵室内の空気の量が増えて、熱電モジュールの冷却能力が冷蔵室の冷却に使われる割合が増え冷凍室の冷却に使われる割合が減る。逆に、送風ファンの回転数を低くすると、冷蔵室用冷却器と熱交換する冷蔵案内の空気の量が減って、熱電モジュールの冷却能力が冷蔵室の冷却に便われる割合が減って冷凍室の冷却に使われる割合が増える。
【００８８】
そのため、冷蔵室と冷凍室とをそれぞれの設定温度の範囲で、緻密な温度制御が可能となりさらに効率よく冷却することができる。
【００８９】
尚、冷凍室の冷凍センサー７１は冷凍冷却器２４に設置したが、冷凍室内の他の場所に設定してもよい。
【００９０】
また、庫内ファン１０は、印加電圧の増加により回転数が増加する電圧制御型のものを使用したが、周波数により回転数が可変する周波数制御型のものを使用しても同様の効果が得られる。
【００９１】
また、熱電モジュール通電制御手段７７による熱電モジュールの印加電圧の可変および、庫内ファン回転数制御手段７８による庫内ファンの印加電圧の可変は、ＯＮ／ＯＦＦ制御または段階（たとえば強、中、弱のような）制御またはリニア制御による可変とするものであり、ＯＮ／ＯＦＦによる制御は、制御装置を安価とする効果があり、段階による制御は比較的制御装置を安価にできかつ熱電モジュール２０に与える熱ストレスの減少させる効果があり、リニアによる制御は、熱電モジュール２０に与える熱ストレスの減少を招き、高寿命、高効率（消費電力小）の制御装置を備えた冷凍冷蔵庫を提供できる。
【００９２】
【発明の効果】
以上説明したように請求項１に記載の冷凍冷蔵庫は、冷蔵室用冷却器と前記冷蔵室用冷却器で冷却された冷気を室内で循環させる送風ファンとを有する冷蔵室と、前記冷蔵室から独立した室で少なくとも底面に室内を直接冷却する冷凍室用冷却器を有する冷凍室と、吸熱面と放熱面とを有し所定方向の電流を流すことにより前記吸熱面が冷却され放熱面が加熱する熱電モジュールとを備え、前記冷蔵室用冷却器および前記冷凍室用冷却器は、直接もしくは間接的に、前記熱電モジュールの前記吸熱面と熱伝導可能に接続されているものであり、１つの熱電モジュールを用い、冷凍および冷蔵を可能とし、更に冷蔵室を冷却する冷蔵室用冷却器と冷凍室を冷却する冷凍冷却器が熱伝導可能に接続されている為、冷却器を一体化、ユニット化できるので、冷凍冷蔵庫への組み込みが容易になる。
【００９３】
また、請求項２に記載の冷凍冷蔵庫は、請求項１に記載の発明における冷蔵室用冷却器と冷凍室用冷却器が、互いに熱伝導可能に一体化されているものであり、冷蔵室用冷却器と冷凍室用冷却器が一体構造のため、各冷却器間の熱抵抗が小さく、効率のよい熱搬送が可能となり、冷凍冷蔵庫として冷却性能の向上および消費電力の向上がある。
【００９４】
また、請求項３に記載の冷凍冷蔵庫は、請求項１または２に記載の発明における冷蔵室用冷却器と冷凍室用冷却器と熱電モジュールが、一体にユニット化されているものであり、それにより冷却器と熱電モジュールを一体化、ユニット化できるので、冷凍冷蔵庫への組み込みが容易になり、組み込み工数、サービスエ数が向上する。
【００９５】
また、請求項４に記載の冷凍冷蔵庫は、請求項１から３のいずれか一項に記載の発明における熱電モジュールが、冷蔵室用冷却器における冷凍室用冷却器寄りに設けられるものであり、冷蔵室に対しさらに低温が要求される冷凍室を冷却する冷凍室用冷却器に短時間で効率よく熱電モジュールの熱搬送が図れるため、冷凍冷蔵庫として消費電力の向上が図れる。
【００９６】
また、請求項５に記載の冷凍冷蔵庫は、請求項１から４に記載のいずれか一項に記載の発明における冷蔵室用冷却器が、少なくとも熱電モジュールからの吸熱を熱伝導するベース部と前記ベース部の吸熱を冷蔵室内に効率よく拡散するためのフィン部を有し、冷凍室用冷却器が、少なくとも熱電モジュールからの吸熱を熱伝導するベース部を有し、前記冷蔵室用冷却器のベース部の厚さ及び前記冷凍室冷却器のベース部の厚さが、前記冷蔵室用冷却器のベース部と冷凍室用冷却器のベース部の接続部で最も厚く、前記接続部より離れるに従い薄くなるものであり、それにより熱電モジュールからの吸熱を冷蔵室冷却器と冷凍室冷却器に均一に熱搬送できるため冷凍冷蔵庫として消費電力の向上が図れるとともに冷蔵室冷却器と冷凍室冷却器の最適形状設計による材料費の削減ができる。
【００９７】
また、請求項６に記載の冷凍冷蔵庫は、請求項１から５のいずれか一項に記載の発明における冷凍室用冷却器が、冷凍室を直接冷却する冷却面と冷蔵室用冷却器との接続面を除き断熱材で覆われているものであり、それにより冷凍室冷却器の熱電モジュールからの吸熱を、冷凍室にのみ使用するため、冷凍室の冷却が効率よく行われ、冷凍冷蔵庫として消費電力の向上が図れる。
【００９８】
また、請求項７に記載の冷凍冷蔵庫は、請求項１から請求項６のいずれか一項に記載の発明における送風ファンが、冷蔵室用冷却器に固定されているものであり、それにより冷蔵室用冷却器の最も温度の低い箇所に直接送風することにより冷蔵室用冷却器の熱交換性能が向上すると共にさらに送風ファンが冷蔵用冷却器と冷凍用冷却器と熱電モジュールとを一体化、ユニット化できるので、冷凍冷蔵庫への組み込みがより容易になり、組み込み工数、サービスエ数がより向上する。
【００９９】
また、請求項８に記載の冷凍冷蔵庫は、請求項１から請求項７のいずれか一項に記載の発明に、さらに、冷蔵室内の温度を検知する冷蔵室温度検知手段と、冷凍室用冷却器の温度もしくは冷凍室内の温度を検知する冷凍室温度検知手段と、前記冷蔵室温度検知手段により検知した前記冷蔵室内の温度と冷蔵室設定温度との比較結果と前記冷凍室温度検知手段により検知した前記冷凍室内の温度と冷凍室設定温度との比較結果とに基づいて送風ファンの回転数と熱電モジュールに流す電流の大きさを制御する温度制御手段とを備え、前記温度制御手段は、前記冷蔵室内の温度が前記冷蔵室設定温度より高く、かつ、前記冷凍室内の温度が前記冷凍室設定温度より高い場合に、前記送風ファンの回転数を高くすると共に前記熱電モジュールに流す電流を大きくし、前記冷蔵室内の温度が前記冷蔵室設定温度より低く、かつ、前記冷凍室内の温度が前記冷凍室設定温度より低い場合に、前記送風ファンの回転数を低くすると共に前記熱電モジュールに流す電流を小さくし、前記冷蔵室内の温度が前記冷蔵室設定温度より高く、かつ、前記冷凍室内の温度が前記冷凍室設定温度より低い場合に、前記送風ファンの回転数を高くすると共に前記熱電モジュールに流す電流を小さくし、前記冷蔵室内の温度が前記冷蔵室設定温度より低く、かつ、前記冷凍室内の温度が前記冷凍室設定温度より高い場合に、前記送風ファンの回転数を低くすると共に前記熱電モジュールに流す電流を大きくするものであり、冷蔵室内の温度を検知する冷蔵室温度検知手段と、冷凍室用冷却器の温度もしくは冷凍室内の温度を検知する冷凍室温度検知手段と、前記冷蔵室温度検知手段により検知した前記冷蔵室内の温度と冷蔵室設定温度との比較結果と前記冷凍案温度検知手段により検知した前記冷凍室内の温度と冷凍室畿定温度との比較結果とに基づいて送風ファンの回転数と熱電モジュールに流す電流の大きさを制御する温度制御手段を用いることにより、比較的安価な制御装置で冷蔵室と冷凍室の庫内の温度上昇や過冷却を防止し、不必要な電力消費を無くすことで、冷蔵室および冷凍室を安定温度で、効率よく冷却することができる。
【０１００】
また、請求項９に記載の冷凍冷蔵庫は、請求項１から請求項７のいずれか一項に記載の発明に、さらに、冷蔵室内の温度を検知する冷蔵室温度検知手段と、冷凍室用冷却器の温度もしくは冷凍室内の温度を検知する冷凍室温度検知手段と、前記冷蔵室内の温度が冷蔵室設定温度となり前記冷凍室内の温度が冷凍室設定温度となるように送風ファンの回転数と熱電モジュールに流す電流の大きさを制御する温度制御手段とを備え、前記温度制御手段は、前記冷蔵室温度検知手段により検知した前記冷蔵室内の温度と前記冷蔵室設定温度との比較結果と前記冷凍室温度検知手段により検知した前記冷凍室内の温度と前記冷凍室設定温度との比較結果とに基づいて、前記熱電モジュールによる吸熱量を大きくする必要があると判断した場合には、前記熱電モジュールに流す電流を大きくし、逆に、前記熱電モジュールによる吸熱量を小さくする必要があると判断した場合には、前記熱電モジュールに流す電流を小さくし、前記冷蔵室よりも前記冷凍室を優先して冷却する必要があると判断した場合には、前記送風ファンの回転数を低くし、逆に、前記冷凍室よりも前記冷蔵室を優先して冷却する必要があると判断した場合には、送風ファンの回転数を高くするものであり、冷蔵室内の温度を検知する冷蔵室温度検知手段と、冷凍室用冷却器の温度もしくは冷凍室内の温度を検知する冷凍室温度検知手段と、前記冷蔵室温度検知手段により検知した前記冷蔵室内の温度と冷蔵室設定温度との比較結果と前記冷凍室温度検知手段により検知した前記冷凍室内の温度と冷凍室設定温度との比較結果とに基づいて送風ファンの回転数と熱電モジュールに流す電流の大きさを制御する温度制御手段にを用いることにより、冷蔵室と冷凍室の庫内の温度上昇や過冷却を防止し、不必要な電力消費を無くすことで、冷蔵宝および冷凍室を緻密な温度制御により、さらに効率のよい冷却運転を可能とすることができる。
【図面の簡単な説明】
【図１】本発明の実施の形態１の冷凍冷蔵庫の斜視図
【図２】本発明の実施の形態１の冷凍冷蔵庫の縦断面図
【図３】本発明の実施の形態１の冷凍冷蔵庫に搭載された熱電装置の縦断面図
【図４】本発明の実施の形態１の冷凍冷蔵庫の放熱部を変えた縦断面図
【図５】本発明の実施の形態１の冷凍冷蔵庫に搭載された熱電装置の熱電モジュールの位置を変えた例の縦断面図
【図６】本発明の実施の形態１の冷凍冷蔵庫に搭載された熱電装置の冷蔵室用冷却器と冷凍室用冷却器を変えた例の縦断面図
【図７】本発明の実施の形態１の冷凍冷蔵庫に搭載された熱電装置の冷凍室用冷却器に断熱材を追加した例の縦断面図
【図８】本発明の実施の形態２の冷凍冷蔵庫の制御装置のブロック図
【図９】本発明の実施の形態２の冷凍冷蔵庫の制御装置の動作を説明するためのフローチャート
【図１０】本発明の実施の形態３の冷凍冷蔵庫の制御装置のブロック図
【図１１】本発明の実施の形態３の冷凍冷蔵庫の制御装置の動作を説明するためのフローチャート
【図１２】従来の冷凍冷蔵機器の断面図
【符号の説明】
１    冷凍冷蔵庫
６    冷蔵室
７    冷凍室
９    熱電装置
１０  庫内ファン
１１  庫外ファン
２０  熱電モジュール
２３  冷蔵室用冷却器
２４  冷凍室用冷却器
２６  放熱器
５０  冷蔵室温度センサー
５１  冷凍室温度センサー
５２  冷蔵室温度検知手段
５３  冷凍室温度検知手段
５４  冷蔵室温度設定手段
５５  冷凍室温度設定手段
５６  温度差演算手段
５７  熱電モジュール通電制御手段
５８  庫内ファン回転数制御手段
６０  温度制御手段
７０  冷蔵室温度センサー
７１  冷凍室温度センサー
７２  冷蔵室温度検知手段
７３  冷凍室温度検知手段
７４  冷蔵室温度設定手段
７５  冷凍室温度設定手段
７６  運転制御手段
７７  熱電モジュール通電制御手段
７８  庫内ファン回転数制御手段
８０  温度制御手段
【図１】
2004278890.tif 000003
【図２】
2004278890.tif 000004
【図３】
2004278890.tif 000005
【図４】
2004278890.tif 000006
【図５】
2004278890.tif 000007
【図６】
2004278890.tif 000008
【図７】
2004278890.tif 000009
【図８】
2004278890.tif 000010
【図９】
2004278890.tif 000011
【図１０】
2004278890.tif 000012
【図１１】
2004278890.tif 000013
【図１２】
2004278890.tif 000014